(57)【要約】【課題】別途のメモリーなしに映像データを再構成することで、特定画素の劣化を最小化し、残像の発生をより效果的に防止することができるピクセルシフト技術を提供する映像補正部、及びこれを含む表示装置、及びこれの映像表示方法を提供する。【解決手段】映像の移動方向及び移動量を決定する移動量決定部２１４と、映像を複数の領域に分割し、移動方向に沿って前記複数の領域の中で第１領域を縮小領域に決定し、かつ第２領域を拡張領域に決定する領域決定部２１６と、移動量に相当するように縮小された映像データを第１領域を表示する映像データに設定する映像データ生成部２１８と、を含む。【選択図】図2
2016212419.tif 000002
【特許請求の範囲】
【請求項１】
映像の移動方向及び移動量を決定する移動量決定部と、
前記映像を複数の領域に分割し、前記移動方向に沿って前記複数の領域の中で第１領域を縮小領域に決定し、かつ第２領域を拡張領域に決定する領域決定部と、
前記移動量に相当するように縮小された映像データを前記第１領域を表示する映像データに設定する映像データ生成部と、
を含むことを特徴とする映像補正部。
【請求項２】
前記映像補正部は、
複数の映像データを含むフレームデータを受信し、前記フレームデータの入力回数を計算するフレームデータ計算部をさらに含むことを特徴とする請求項１に記載の映像補正部。
【請求項３】
前記移動量決定部は、
前記入力回数に応じて相当するルックアップテーブルを決定し、
前記ルックアップテーブルに含まれた値を利用して前記移動方向及び前記移動量を決定することを特徴とする請求項２に記載の映像補正部。
【請求項４】
前記移動量決定部は、
前記映像のＸ軸移動方向及びＸ軸移動量及び Ｙ軸移動方向及びＹ軸移動量を決定する
ことを特徴とする請求項１に記載の映像補正部。
【請求項５】
前記移動量決定部は、
１個の画素上で表示される微細映像の大きさよりも小さい単位で前記映像がＸ軸に移動するように前記移動量を決定することを特徴とする請求項４に記載の映像補正部。
【請求項６】
前記移動量決定部は、
１個の画素上で表示される微細映像の大きさよりも小さい単位で前記映像がＹ軸に移動するように前記移動量を決定することを特徴とする請求項４に記載の映像補正部。
【請求項７】
前記移動量決定部は、
前記Ｘ軸移動方向及び前記Ｘ軸移動量を決定した後、前記Ｙ軸移動方向及び前記Ｙ軸移動量を決定することを特徴とする請求項４に記載の映像補正部。
【請求項８】
前記移動量決定部は、
前記Ｙ軸移動方向及び前記Ｙ軸移動量を決定した後、前記Ｘ軸移動方向及び前記Ｘ軸移動量を決定することを特徴とする請求項４に記載の映像補正部。
【請求項９】
複数の画素を含む表示パネルと、
映像データを生成する映像補正部と、を含み、
前記映像補正部は、
映像の移動方向及び移動量を決定する移動量決定部と、
前記映像を複数の領域に分割し、前記移動方向に沿って前記複数の領域の中で第１領域を縮小領域に決定し、第２領域を拡張領域に決定する領域決定部と、
前記移動量に相当するように縮小された映像データを前記第１領域を表示する映像データに設定する映像データ生成部と、
を含むことを特徴とする表示装置。
【請求項１０】
複数の画素を含む表示パネル及び映像データを生成する映像補正部を含む表示装置の駆動方法において、
前記映像補正部が、複数の映像データを含むフレームデータを受信する段階と、
前記映像補正部が、前記フレームデータの入力回数を計算し、計算結果に応じて相当するルックアップテーブルを決定する段階と、
前記映像補正部が、前記ルックアップテーブルに含まれた値を利用して映像の移動方向及び移動量を決定する段階と、
前記映像補正部が、前記映像を複数の領域に分割し、前記移動方向に沿って前記複数の領域の中で第１領域を縮小領域に決定し、第２領域を拡張領域に決定する段階と、
前記移動量に相当するように縮小された映像データを前記第１領域を表示する第１映像データに設定する段階と、
を含むことを特徴とする映像表示方法。
【発明の詳細な説明】
【技術分野】
【０００１】
本発明は、映像補正部、及びこれを含む表示装置、及びこれの映像表示方法に関する。
【背景技術】
【０００２】
近年、有機電界発光表示装置（Ｏｒｇａｎｉｃ  Ｌｉｇｈｔ  Ｅｍｉｔｔｉｎｇ  Ｄｉｓｐｌａｙ）、液晶表示装置（Ｌｉｑｕｉｄ  Ｃｒｙｓｔａｌ  ＤｉｓｐｌａｙＤｅｖｉｃｅ）、プラズマ表示装置（Ｐｌａｓｍａ  Ｄｉｓｐｌａｙ  Ｄｅｖｉｃ  ｅ）など、多様な種類の表示装置が広く使用されている。
【０００３】
このような表示装置等は、駆動時間が長くなるにつれて特定映像、または文字を長時間持続的に出力するため、特定画素が劣化されて性能の低下を発生させることがある。
【０００４】
一方、上述した問題点を解決するために、表示パネル上に一定の周期ごとに映像を移動させて表示する技術（いわゆる、ピクセルシフト（ＰｉＸｅｌ  Ｓｈｉｆｔ）技術）が使用されている。
【０００５】
表示パネル上に一定の周期ごとに映像を移動させて表示すると、特定ピクセルに同一のデータが長時間出力されることを防止し、特定ピクセルが劣化されることを改善することができる。
【０００６】
映像を移動させて表示する技術は、移動前の映像データと移動後の映像データを補間し、新しい映像データを生成する方法が使用される。すなわち、新しい映像データを生成するためには、移動前の映像データと移動後の映像データとを別途でメモリーに保存しなければならない。
【０００７】
また、新しい映像データは、移動前の映像データと移動後の映像データとを組み合わせて生成したため、残像の発生を根本的に解決することができないという問題がある。
【発明の概要】
【発明が解決しようとする課題】
【０００８】
したがって、本発明は上記の問題を解決するために案出されたもので、その目的は、別途のメモリーなしに映像データを再構成することで、特定画素の劣化を最小化し、残像の発生をより效果的に防止することができるピクセルシフト技術を提供する映像補正部、及びこれを含む表示装置、及びこれの映像表示方法を提供することである。
【課題を解決するための手段】
【０００９】
上記の目的を達成するために本発明の実施例による映像補正部は、映像の移動方向及び移動量を決定する移動量決定部と、前記映像を複数の領域に分割し、前記移動方向に沿って前記複数の領域の中で第１領域を縮小領域に決定し、かつ第２領域を拡張領域に決定する領域決定部と、前記移動量に相当するように縮小された映像データを、前記第１領域を表示する映像データに設定する映像データ生成部と、を含む。
【００１０】
また、前記映像補正部は、複数の映像データを含むフレームデータを受信し、前記フレームデータの入力回数を計算するフレームデータ計算部をさらに含むことができる。
【００１１】
また、前記移動量決定部は、前記入力回数に応じて相当するルックアップテーブルを決定し、前記ルックアップテーブルに含まれた値を利用して前記移動方向及び前記移動量を決定することができる。
【００１２】
また、前記移動量決定部は、前記映像のＸ軸移動方向及びＸ軸移動量を決定するＸ軸移動量決定部と、前記映像のＹ軸移動方向及びＹ軸移動量を決定するＹ軸移動量決定部と、をさらに含むことができる。
【００１３】
また、前記Ｘ軸移動量決定部は、１個の画素上で表示される微細映像の大きさよりも小さい単位で前記映像がＸ軸に移動するように前記移動量を決定することができる。
【００１４】
また、前記Ｙ軸移動量決定部は、１個の画素上で表示される微細映像の大きさよりも小さい単位で前記映像がＹ軸に移動するように前記移動量を決定することができる。
【００１５】
また、前記移動量決定部は、前記Ｘ軸移動方向及び前記Ｘ軸移動量を決定した後、前記Ｙ軸移動方向及び前記Ｙ軸移動量を決定することができる。
【００１６】
また、前記移動量決定部は、前記Ｙ軸移動方向及び前記Ｙ軸移動量を決定した後、前記Ｘ軸移動方向及び前記Ｘ軸移動量を決定することができる。
【００１７】
また、前記領域決定部は、前記第１領域と前記第２領域との間に位置する第３領域を設定し、前記映像の前記第３領域は、前記拡張領域から前記縮小領域の位置した方向へ移動されることができる。
【００１８】
また、前記映像データ生成部は、前記第１領域と前記第２領域との間に位置した第３領域を表示する映像データの一部と、前記第１領域を表示する映像データとを組み合わせて前記縮小された映像データを生成することができる。
【００１９】
また、前記映像データ生成部は、前記移動量に相当するように拡張された映像データを前記第２領域に入力されるべき映像データに設定することができる。
【００２０】
また、前記映像データ生成部は、前記第２領域を表示する映像データの一部を利用して前記拡張された映像データを生成することができる。
【００２１】
また、前記映像は、前記拡張領域から前記縮小領域の位置した方向へ移動されることができる。
【００２２】
また、前記映像の大きさは、移動前と移動後に同一に維持されることができる。
【００２３】
さらに、本発明の他の実施例による表示装置は、複数の画素を含む表示パネルと、映像データを生成する映像補正部と、を含み、前記映像補正部は、映像の移動方向及び移動量を決定する移動量決定部と、前記映像を複数の領域に分割し、前記移動方向に沿って前記複数の領域の中で第１領域を縮小領域に決定し、第２領域を拡張領域に決定する領域決定部と、前記移動量に相当するように縮小された映像データを前記第１領域を表示する映像データに設定する映像データ生成部と、を含む。
【００２４】
また、前記映像補正部は、複数の映像データを含むフレームデータを受信し、前記フレームデータの入力回数を計算するフレームデータ計算部をさらに含み、前記移動量決定部は、前記入力回数に応じて相当するルックアップテーブルを決定し、前記ルックアップテーブルに含まれた値を利用して前記移動方向及び前記移動量を決定することができる。
【００２５】
また、前記移動量決定部は、１個の画素上で表示される微細映像の大きさよりも小さい単位で前記映像が移動するように前記移動量を決定することができる。
【００２６】
また、前記映像は、前記拡張領域から前記縮小領域の位置した方向へ移動されて、前記映像の大きさは移動前と移動後に同一に維持されることができる。
【００２７】
また、前記映像データ生成部は、前記第１領域と前記第２領域との間に位置した第３領域を表示する映像データの一部と、前記第１領域を表示する映像データとを組み合わせて前記縮小された映像データを生成することができる。
【００２８】
さらに、本発明のまた他の実施例による複数の画素を含む表示パネル及び映像データを生成する映像補正部を含む表示装置の駆動方法において、前記映像補正部が、複数の映像データを含むフレームデータを受信する段階と、前記映像補正部が、前記フレームデータの入力回数を計算し、計算結果に応じて相当するルックアップテーブルを決定する段階と、前記映像補正部が、前記ルックアップテーブルに含まれた値を利用して映像の移動方向及び前記移動量を決定する段階と、前記映像補正部が、前記映像を複数の領域に分割し、前記移動方向に沿って前記複数の領域の中で第１領域を縮小領域に決定し、第２領域を拡張領域に決定する段階と、前記移動量に相当するように縮小された映像データを前記第１領域を表示する第１映像データに設定する段階と、を含む。
【発明の効果】
【００２９】
上記のように本発明の実施例による映像補正部、及びこれを含む表示装置及びその映像表示方法によれば、別途のメモリーなしに映像データを再構成することで、特定画素の劣化を最小化して、残像の発生をより效果的に防止することができるという効果を奏する。
【図面の簡単な説明】
【００３０】
【図１】本発明の実施例による表示装置の概略的なブロック図である。
【図２】本発明の実施例による映像補正部の概略的なブロック図である。
【図３】本発明の実施例による表示装置の映像表示領域を示した概念図である。
【図４Ａ】本発明の実施例による表示装置の映像表示方法について説明するための概念図である。
【図４Ｂ】本発明の実施例による表示装置の映像表示方法について説明するための概念図である。
【図５】本発明の実施例による映像補正部のＸ軸方向の映像データを生成する方法について説明するための概念図である。
【図６】図５に示された縮小領域について説明するための概念図である。
【図７】図５に示された拡大領域について説明するための概念図である。
【図８Ａ】本発明の他の実施例による表示装置の映像表示方法について説明するための概念図である。
【図８Ｂ】本発明の他の実施例による表示装置の映像表示方法について説明するための概念図である。
【図９】本発明の実施例による映像補正部のＹ軸方向の映像データを生成する方法について説明するための概念図である。
【図１０】図９に示された縮小領域について説明するための概念図である。
【図１１】図９に示された拡大領域について説明するための概念図である。
【図１２】本発明の実施例によるルックアップテーブルを示した図面である。
【図１３】図１２に示されたルックアップテーブルによって表示装置が映像を移動する方法を示した図面である。
【発明を実施するための形態】
【００３１】
本明細書に開示されている本発明の概念による実施例について、特定の構造的または機能的説明は単に本発明の概念による実施例を説明するために例示されたものであり、本発明の概念による実施例は、多様な形態で実施されることができ、本明細書に説明された実施例に限定されるものではない。
【００３２】
さらに、本発明の概念による実施例等は、多様な変更を加えることができ、かつ、さまざまな形態を持つことができるので、実施例を図面に例示し、本明細書にて詳細に説明する。しかしながら、これは本発明の概念による実施例を特定の開示形態に限定するものではなく、本発明の思想及び技術範囲に含まれるすべての変更、均等物、または代替物を含む。
【００３３】
そして、第１または第２などの用語は、多様な構成要素を説明するために使用されうるが、前記構成要素らは前記用語によって限定されてはならない。前記用語らは、一つの構成要素を他の構成要素から区別する目的に限り、例えば、本発明の概念による権利範囲から脱しないまま、第１構成要素は第２構成要素に命名することができ、同じく、第２構成要素は第１構成要素に命名されることも可能である。
【００３４】
さらに、ある構成要素が他の構成要素に「連結されて」いる、または「接続されて」いると言及された場合には、その他の構成要素に直接的に連結されているか、または接続されていることもありえるが、中間に他の構成要素が存在する場合もあると理解しなければならない。
【００３５】
反面、ある構成要素が他の構成要素に「直接連結されて」いる、または「直接接続されて」いると言及された場合には、中間に他の構成要素が存在しないものと理解しなければならない。構成要素ら間の関係を説明する他の表現、すなわち、「〜の間に」と「すぐ〜の間に」、または「〜に隣合う」と「〜に直接隣合う」なども、同じく解釈しなければならない。
【００３６】
本明細書にて使用した用語は、単に特定の実施例を説明するために使用したもので、本発明を限定しようとする意図ではない。単数の表現は、文脈上明白に異なるように意味しない限り、複数の表現を含む。
【００３７】
本明細書にて、「含む」または「有する」などの用語は、本明細書に記載した特徴、数字、段階、動作、構成要素、部分品、またはこれらを組み合わせたものが存在することを意味するのであって、一つまたはそれ以上の他の特徴や数字、段階、動作、構成要素、部分品、またはこれらを組み合わせたものなどの存在または付加可能性をあらかじめ排除しないことを理解しなければならない。
【００３８】
別に定義されない限り、技術的または科学的な用語を含んで、本明細書で使用されるすべての用語は、本発明の属する技術分野における通常の知識を有する者によって一般的に理解されるものと同一の意味を現わす。一般的に使用される辞書に定義されているような用語は、関連技術の文脈上有する意味と一致する意味を有すると解釈しなければならないし、本明細書で明白に定義しない限り、理想的や過度に形式的な意味として解釈してはならない。
【００３９】
以下、本明細書に添付された図面を参照して本発明の実施例について説明する。図１は、本発明の実施例による表示装置の概略的なブロック図である。
【００４０】
図１を参照すれば、本発明の実施例による表示装置１０は、プロセッサ１００、表示駆動部２００、及び表示パネル３００を含むことができる。
【００４１】
プロセッサ１００は、表示駆動部２００に第１映像データＤＩ１及び制御信号ＣＳを供給することができる。
【００４２】
例えば、プロセッサ１００は、集積回路（Ｉｎｔｅｇｒａｔｅｄ  Ｃｉｒｃｕｉｔ；ＩＣ）、アプリケーションプロセッサ（Ａｐｐｌｉｃａｔｉｏｎ  Ｐｒｏｃｅｓｓｏｒ；ＡＰ）、モバイル、または表示駆動部２００の動作を制御することができるプロセッサに具現されることができる。
【００４３】
例えば、制御信号は、垂直同期信号、水平同期信号 、データイネーブル信号、クロック信号などを含むことができる。
【００４４】
表示駆動部２００は、映像補正部２１０、タイミング制御部２２０、走査駆動部２４０、及びデータ駆動部２３０を含むことができる。
【００４５】
映像補正部２１０は、プロセッサ１００から供給される第１映像データＤＩ１及び制御信号ＣＳを利用して第２映像データＤＩ２を生成することができる。また、映像補正部２１０は、第１映像データＤＩ１、第２映像データＤＩ２、及び制御信号ＣＳをタイミング制御部２２０に伝送することができる。ここで、第２映像データＤＩ２は、ピクセルシフト技術を利用して第１映像データＤＩ１を移動した映像データを意味する。
【００４６】
また、映像補正部２１０は、タイミング制御部２２０を介さずに直接第１映像データＤＩ１、第２映像データＤＩ２、及び制御信号ＣＳをデータ駆動部２３０に供給することができる。
【００４７】
また、映像補正部２１０は、表示駆動部２００と別個で分離して位置することができる。映像補正部２１０は、タイミング制御部２２０に統合されることができ、タイミング制御部２２０は、第１映像データＤＩ１を第２映像データＤＩ２に変換することができる。
【００４８】
タイミング制御部２２０は、映像補正部２１０から第１映像データＤＩ１、第２映像データＤＩ２、及び制御信号ＣＳを受信することができる。
【００４９】
タイミング制御部２２０は、制御信号ＣＳに基づいて走査駆動部２４０及びデータ駆動部２３０を制御するためのタイミング制御信号を生成することができる。
【００５０】
例えば、タイミング制御信号は、走査駆動部２４０を制御するための走査タイミング制御信号ＳＣＳ、及びデータ駆動部２３０を制御するためのデータタイミング制御信号ＤＣＳを含むことができる。
【００５１】
タイミング制御部２２０は、走査タイミング制御信号ＳＣＳを走査駆動部２４０に供給し、データタイミング制御信号ＤＣＳをデータ駆動部２３０に供給することができる。
【００５２】
タイミング制御部２２０は、第１期間の間に第１映像データＤＩ１をデータ駆動部２３０に供給して第１映像を表示することができ、第２期間の間に第２映像データＤＩ２をデータ駆動部２３０に供給して第２映像を表示することができる。
【００５３】
データ駆動部２３０は、タイミング制御部２２０からデータタイミング制御信号ＤＣＳ、第１及び第２映像データ（ＤＩ１及びＤＩ２）の入力を受けて、データ信号ＤＳを生成することができる。また、データ駆動部２３０は、生成されたデータ信号ＤＳをデータ線に供給することができる。
【００５４】
データ駆動部２３０は、別途の構成要素により表示パネル３００に位置したデータ線と電気的に接続されることができる。また、データ駆動部２３０は、表示パネル３００に直接実装されることができる。
【００５５】
走査駆動部２４０は、走査タイミング制御信号ＳＣＳに応答して走査線に走査信号ＳＳを供給する。走査駆動部２４０は、表示パネル３００に位置した走査線ＳＳと電気的に接続されることができる。また、走査駆動部２４０は、表示パネル３００に直接実装されることができる。
【００５６】
データ線を介してデータ信号ＤＳの供給を受けた表示パネル３００の画素は、走査信号ＳＳが供給される時、データ信号ＤＳに対応する輝度で発光することができる。
【００５７】
例えば、タイミング制御部２２０または映像補正部２１０が、第１映像データＤＩ１を供給する場合、データ駆動部２３０は、第１映像データＤＩ１に対応するデータ信号ＤＳを画素に供給することで、第１映像を表示することができる。
【００５８】
また、タイミング制御部２２０または映像補正部２１０が、第２映像データＤＩ２を供給する場合、データ駆動部２３０は、第２映像データＤＩ２に対応するデータ信号ＤＳを画素に供給することで、第２映像を表示することができる。
【００５９】
データ駆動部２３０は、走査駆動部２４０と別個で分離して位置することができる。
表示パネル３００は、所定の映像を表示するピクセルを含むことができる。表示パネル３００は、表示駆動部２００の制御によって映像を表示することができる。
【００６０】
例えば、表示パネル３００は、有機電界発光表示パネル（Ｏｒｇａｎｉｃ  Ｌｉｇｈｔ  Ｅｍｉｔｔｉｎｇ  Ｄｉｓｐｌａｙ  Ｐａｎｅｌ）、液晶表示パネル（Ｌｉｑｕｉｄ  Ｃｒｙｓｔａｌ  Ｄｉｓｐｌａｙ  Ｐａｎｅｌ）、プラズマ表示パネル（Ｐｌａｓｍａ  Ｄｉｓｐｌａｙ  Ｐａｎｅｌ）などで具現されることができるが、これに限定されない。
【００６１】
図２は、本発明の実施例による映像補正部の概略的なブロック図である。図２を参照すれば、映像補正部２１０はフレームデータカウンター２１２、移動量決定部２１４、領域決定部２１６、及び映像データ生成部２１８を含むことができる。
【００６２】
フレームデータカウンター２１２は、フレーム情報ＣＩを算出することができる。この際、フレームデータカウンター２１２はプロセッサ１００から供給される制御信号（例えば、垂直同期信号）を利用することで、現在供給される第１映像データＤＩ１が何番目のフレームに当たるかを算出することができる。
【００６３】
フレームデータカウンター２１２は、フレーム情報ＣＩを移動量決定部２１４に供給することができる。
【００６４】
移動量決定部２１４は、映像の移動方向及び移動量を決定することができる。より具体的には、移動量決定部２１４はＸ軸移動方向、Ｘ軸移動方向、Ｙ軸移動量、及びＹ軸移動量を決定することができる。
【００６５】
また、移動量決定部２１４は、決定された映像の移動方向についての情報を含む映像移動方向情報ＳＤＩを生成することができ、決定された映像の移動量についての情報を含む映像移動量情報ＳＡＩを生成することができる。
【００６６】
例えば、移動量決定部２１４は、フレームデータカウンター２１２から伝達されるフレーム情報ＣＩを参照し、フレーム情報ＣＩに対応するＸ軸移動方向とＹ軸移動方向、及び、Ｘ軸移動量とＹ軸移動量を決定し、映像移動方向情報ＳＤＩ及び映像移動量情報ＳＡＩを生成することができる。このために、移動量決定部２１４はルックアップテーブルＬＵＴを利用することができる。
【００６７】
また、移動量決定部２１４は映像の移動方向及び移動量についての情報を含むルックアップテーブルＬＵＴを生成し、生成されたルックアップテーブルＬＵＴを利用して映像の移動方向及び移動量を決定することができる。
【００６８】
また、移動量決定部２１４は外部から伝送されるか、或いは、あらかじめ保存されたルックアップテーブルＬＵＴを利用して映像の移動方向及び移動量を決定することができる。ルックアップテーブルＬＵＴは、図１２及び図１３を参照して詳しく説明される。
【００６９】
領域決定部２１６は、Ｘ軸領域決定部２１６−１及びＹ軸領域決定部２１６−２を含むことができる。
【００７０】
Ｘ軸領域決定部２１６−１は、映像移動方向情報ＳＤＩ及び映像移動量情報ＳＡＩを利用してＸ軸領域を決定し、決定されたＸ軸領域に対するＸ軸領域情報ＸＡＩを生成することができる。前記Ｘ軸領域は、Ｘ軸縮小領域、Ｘ軸拡大領域、及びＸ軸移動領域を含むことができる。
【００７１】
また、Ｙ軸領域決定部２１６−２は映像移動方向情報ＳＤＩ及び映像移動量情報ＳＡＩを利用してＹ軸領域を決定し、決定されたＹ軸領域に対するＹ軸領域情報ＹＡＩを生成することができる。前記Ｙ軸領域は、Ｙ軸縮小領域、Ｙ軸拡大領域、及びＹ軸移動領域を含むことができる。
【００７２】
映像データ生成部２１８は、Ｘ軸領域情報ＸＡＩ及びＹ軸領域情報ＹＡＩを利用して各領域に提供されるべき第２映像データＤＩ２を生成することができる。
【００７３】
図３は、本発明の実施例による表示装置の映像表示領域を示した概念図である。図３を参照すれば、本発明の実試芸による表示装置１０は映像を表示することができる映像表示領域ＤＡを含むことができる。
【００７４】
表示装置１０は、ユーザーに所定の映像を提供する装置で、映像表示領域ＤＡに映像を表示することができる。表示装置１０のユーザーは、映像表示領域ＤＡに表示された映像を視認することができる。
【００７５】
例えば、表示装置１０は移動電話機、スマートホン（Ｓｍａｒｔ  Ｐｈｏｎｅ）、ＰＤＡ（Ｐｅｒｓｏｎａｌ  Ｄｉｇｉｔａｌ  Ａｓｓｉｓｔａｎｔ）、ＥＤＡ（Ｅｎｔｅｒｐｒｉｓｅ  Ｄｉｇｉｔａｌ  Ａｓｓｉｓｔａｎｔ）、デジタルスチールカメラ（Ｄｉｇｉｔａｌ  Ｓｔｉｌｌ  Ｃａｍｅｒａ）、デジタルビデオカメラ（Ｄｉｇｉｔａｌ  Ｖｉｄｅｏ  Ｃａｍｅｒａ）、ＰＭＰ（Ｐｏｒｔａｂｌｅ  Ｍｕｌｔｉｍｅｄｉａ  Ｐｌａｙｅｒ）、ＰＮＤ（Ｐｅｒｓｏｎａｌ  Ｎａｖｉｇａｔｉｏｎ  ＤｅｖｉｃｅまたはＰｏｒｔａｂｌｅ  Ｎａｖｉｇａｔｉｏｎ  Ｄｅｖｉｃｅ）、モバイルインターネット装置（Ｍｏｂｉｌｅ  Ｉｎｔｅｒｎｅｔ  Ｄｅｖｉｃｅ；ＭＩＤ）、ウェアラブルコンピューター、有機電界発光表示装置、液晶表示装置、プラズマ表示装置、及び量子点表示装置などで具現されることができる。
【００７６】
図４Ａ及び図４Ｂは、本発明の実施例による表示装置の映像表示方法について説明するための概念図である。図４Ａを参照すれば、表示装置は第ｎ期間（ｎは１以上の自然数）の間映像表示領域ＤＡに映像Ｉｍ１を表示することができる。この際、映像Ｉｍ１の大きさは映像表示領域ＤＡよりも小さく設定されることができる。
【００７７】
映像Ｉｍ１は、複数の領域を含むことができる。例えば、映像Ｉｍ１は第１領域Ａ１、第２領域Ａ２及び第３領域Ａ３を含むことができる。
【００７８】
第３領域Ａ３は、第１領域Ａ１第２領域Ａ２との間に位置する領域でありえる。
【００７９】
また、第１領域Ａ１は第３領域Ａ３の左側に位置した領域で、第２領域Ａ２は、第３領域Ａ３の右側に位置する領域でありえる。
【００８０】
本発明の実施例による表示装置の映像表示方法では、映像Ｉｍ１が移動されて表示されることができ、さらに映像Ｉｍ１に含まれた一部の領域が縮小及び拡大されることができる。
【００８１】
例えば、第ｎ期間の間映像Ｉｍ１は、映像表示領域ＤＡの特定位置に表示されて、第ｎ＋ｍ期間（ｍは１以上の自然数）の間、映像Ｉｍ１は特定方向（例えば、Ｘ軸方向）に移動された状態に表示されることができる。すなわち、映像Ｉｍ１は、−Ｘ軸方向（左側）または＋Ｘ軸方向（右側）に特定距離ほど移動されることができる。
【００８２】
図４Ｂを参照すれば、表示装置は第ｎ＋ｍ期間の間映像表示領域ＤＡに映像Ｉｍ１’を表示することができる。例えば、表示装置は、第２映像データにしたがって映像Ｉｍ１’を映像表示領域ＤＡに表示することができる。
【００８３】
映像補正部２１０は、第１領域Ａ１をＸ軸縮小領域に設定し、第２領域Ａ２をＸ軸拡大領域に設定することができる。ここで、映像Ｉｍ１’は、ピクセルシフト動作によって映像Ｉｍ１が移動されて表示されたものである。
【００８４】
映像移動によって第１領域Ａ１の面積は、第１面積Ｅｘ１ほど縮小されることができ、第２領域Ａ２の面積は、第２面積Ｅｘ２ほど拡張されることができる。
【００８５】
例えば、第ｎ期間の間映像Ｉｍ１の第１領域Ａ１及び第２領域Ａ２は、決定された面積を維持し、第ｎ＋ｍ期間の間映像Ｉｍ１’の第１領域Ａ１は、第１面積Ｅｘ１ほど縮小されて、第２領域Ａ２は第２面積Ｅｘ２ほど拡大されることができる。この際、第２領域Ａ２は、第１領域Ａ１が縮小されるほど拡大されることができる。例えば、第１面積Ｅｘ１は第２面積Ｅｘ２と同一でありえる。
【００８６】
これによって、表示装置は、全体の大きさを維持した状態で映像Ｉｍ１’を移動させることができる。言い換えれば、本発明の実施例によって表示される映像Ｉｍ１’の大きさは、移動前の映像Ｉｍ１の大きさと同一に維持されることができる。
【００８７】
映像Ｉｍ１は、第１領域Ａ１が縮小される方向に沿って移動することができる。
【００８８】
映像補正部２１０は、第３領域をＸ軸移動領域に設定することができる。したがって、第１領域Ａ１と第２領域Ａ２との間に位置する第３領域Ａ３は、第１領域Ａ１が縮小される方向に沿って移動することができる。この際、第３領域Ａ３は、縮小されたり拡大されたりすることなく、その大きさをそのまま維持することができる。
【００８９】
図４Ａ及び図４Ｂでは、映像（Ｉｍ１及びＩｍ１’）の左側に位置した領域を第１領域Ａ１と指称し、映像（Ｉｍ１及びＩｍ１’）の右側に位置した領域を第２領域Ａ２と指称したが、第１領域Ａ１第２領域Ａ２は互いに逆になることも可能である。
【００９０】
例えば、映像（Ｉｍ１及びＩｍ１’）の右側に位置した領域が第１領域Ａ１に設定され、映像（Ｉｍ１及びＩｍ１’）の左側に位置した領域が第２領域Ａ２に設定されることができる。
【００９１】
上述したように、映像Ｉｍ１を移動させることで、残像の発生を抑制することができるだけではなく、それと同時に映像Ｉｍ１の内部領域Ａ１、Ａ２に対する縮小及び拡大を並行することで、残像の発生をより效率的に抑制することができる。
【００９２】
図５は、本発明の実施例による映像補正部のＸ軸方向の映像データを生成する方法について説明するための概念図である。
【００９３】
図５では、説明の便宜のために格子形態で配置された画素の中で一行の画素に入力されるべきＸ軸映像データを示しており、映像データ（Ｐｄ１またはＰｄ２）は画素に映像を表示するデータを意味する。また、第１映像データＤＩ１は、映像データＰｄ１を含み、第２映像データは映像データＰｄ２を含むことと仮定する。
【００９４】
Ｘ軸領域決定部２１６−１は、Ｘ軸方向に沿って映像をサブ領域（ＳＡｘ１、ＳＡｘ２、及びＳＡｘ３）で区分することができる。ここで、移動前のＸ軸領域ＸＡ１は、映像が移動する前のサブ領域ＳＡｘ１、ＳＡｘ２、及びＳＡｘ３を含むことができる。また、移動後のＸ軸領域ＸＡ２は、映像が移動した後のサブ領域（ＳＢｘ１、ＳＢｘ２、及びＳＢｘ３）を含むことができる。
【００９５】
例えば、Ｘ軸領域決定部２１６−１は、最も左側に位置した画素から右側方向へ５番目に位置した画素上に表示される映像を、移動前の第１領域ＳＡｘ１に決定し、最も右側に位置した画素から左側方向へ３番目に位置した画素上に表示される映像を第２領域ＳＡｘ３に決定し、移動前の第１領域ＳＡｘ１と移動前の第２領域ＳＡｘ３との間に位置した移動前の第３領域ＳＡｘ２を決定することができる。
【００９６】
映像データ生成部２１８は、サブ領域（ＳＡｘ１、ＳＡｘ２、及びＳＡｘ３）を表示する映像データＰｄ１がサブ区域（ＳＢｘ１、ＳＢｘ２、及びＳＢｘ３）を表示することができるように映像データＰｄ２を生成することができる。すなわち、映像データ生成部２１８は、移動前の第１領域ＳＡｘ１を表示する映像データＰｄ１を、移動後の第１領域ＳＢｘ１を表示する映像データＰｄ２に変換することができる。
【００９７】
また、映像データ生成部２１８は、移動前の第２領域ＳＡｘ３を表示する映像データＰｄ１を、移動後の第２領域ＳＢｘ３を表示する映像データＰｄ２に変換することができる。
【００９８】
また、映像データ生成部２１８は、移動前の第３領域ＳＡｘ２を表示する映像データＰｄ１を、移動後の第３領域ＳＢｘ２を表示する映像データＰｄ２に変換することができる。
【００９９】
図６は、図５に示された縮小領域について説明するための概念図である。図５及び図６を参照すれば、移動量決定部２１４から生成された映像移動方向情報ＳＤＩ及び映像移動量情報ＳＡＩを利用して、Ｘ軸領域決定部２１６−１は、移動前の第１領域ＳＡｘ１より縮小された移動後の第１領域ＳＢｘ１を決定することができる。
【０１００】
例えば、映像移動方向情報ＳＤＩが−Ｘ軸移動方向に設定され、移動映像移動量情報ＳＡＩがｎ個（ｎは陽の定数）の画素移動に設定された場合、Ｘ軸領域決定部２１６−１は移動前の第１領域ＳＡｘ１よりも−Ｘ軸移動方向へｎ個の画素移動ほど縮小された移動後の第１領域ＳＢｘ１を設定することができる。
【０１０１】
以後、映像を縮小するために映像データ生成部２１８は、移動前の第１領域ＳＡｘ１のｐ個（ｐは陽の定数）の画素上で表示される映像を、移動後の第１領域ＳＢｘ１のｑ個（ｑはｐよりも小さい陽の定数）画素上で表示される映像に変換することができる。
【０１０２】
すなわち、映像データ生成部２１８は、ｐ個の画素に提供されるべき映像データを、ｑ個の画素に提供される映像データに変換することができる。
【０１０３】
ｐ個の画素上で表示されていた映像がｑ個の画素上で表示されるため、移動後の第１領域ＳＢｘ１で表示される映像は移動前の第１領域ＳＡｘ１で表示される映像よりｋ割合で縮小されて表示される（ここで、ｋ＝ｑ／ｐ）。
【０１０４】
再度、図６を参照すれば、映像データ生成部２１８は、移動前の第１領域ＳＡｘ１を表示する映像データＰｄ１＿１ａ、Ｐｄ１＿２ａ、Ｐｄ１＿３ａ、Ｐｄ１＿４ａ、及びＰｄ１＿５ａを再び組み合わせて、移動後の第１領域ＳＢｘ１を表示する映像データＰｄ２＿１ａ、Ｐｄ２＿２ａ、及びＰｄ２＿３ａに変換することができる。
【０１０５】
以下、説明の便宜のために、五つの画素を含む移動前の第１領域ＳＡｘ１、及び前記五つの画素に入力されるべき映像データＰｄ１＿１ａ、Ｐｄ１＿２ａ、Ｐｄ１＿３ａ、Ｐｄ１＿４ａ、及びＰｄ１＿５ａが存在し、前記五つの画素は移動前の第１領域ＳＡｘ１にて順次に配列されているものと仮定する。また、移動後の第１領域ＳＢｘ１は、三つの画素を含み、前記三つの画素は順次に配列されているものと仮定する。
【０１０６】
この際、映像データ生成部２１８は、前記五つの画素に入力されるべき映像データＰｄ１＿１ａ、Ｐｄ１＿２ａ、Ｐｄ１＿３ａ、Ｐｄ１＿４ａ、及びＰｄ１＿５ａを利用し、前記三つの画素に入力されるべき映像データＰｄ２＿１ａ、Ｐｄ２＿２ａ、及びＰｄ２＿３ａを生成することができる。
【０１０７】
例えば、映像データ生成部２１８は、移動前の第１領域ＳＡｘ１にて左側から一番目に位置した画素及び二番目に位置した画素に入力されるべき映像データＰｄ１＿１ａ及びＰｄ１＿２ａを利用し、移動後の第１領域ＳＢｘ１で左側から一番目に位置した画素に入力されるべき映像データＰｄ２＿１ａを生成することができる。
【０１０８】
すなわち、映像データ生成部２１８は、領域Ｒ１に表示される映像データＰｄ１＿１ａ及び領域Ｒ２に表示される映像データＰｄ１＿２ａを利用して映像データＰｄ２＿１ａを生成することができる。
【０１０９】
また、映像データ生成部２１８は、領域Ｒ３に表示される映像データＰｄ１＿２ａ、領域Ｒ４に表示される映像データＰｄ１＿３ａ、及び領域Ｒ５に表示される映像データＰｄ１＿４ａを利用して映像データＰｄ２＿２ａを生成することができる（ここで、Ｒ２＝Ｒ３＋Ｒ５）。
【０１１０】
また、映像データ生成部２１８は、領域Ｒ６に表示される映像データＰｄ１＿４ａ及び領域Ｒ７に表示される映像データＰｄ１＿５ａを利用して映像データＰｄ２＿３ａを生成することができる（ここで、Ｒ２＝Ｒ６）。
【０１１１】
これにより、表示装置は、映像データ生成部２１８によって生成された映像データＰｄ２＿１ａ、Ｐｄ２＿２ａ、及びＰｄ２＿３ａを利用して移動前の第１領域ＳＡｘ１で表示された映像よりも縮小された映像を、移動後の第１領域ＳＢｘ１で表示することができる。
【０１１２】
移動前の第１領域ＳＡｘ１で表示される映像は、３／５の割合で縮小されて移動後の第１領域ＳＢｘ１で表示される。したがって、移動後の第１領域ＳＢｘ１で左側から一番目に位置した画素に表示される映像は、移動前の映像より領域Ｒ２ほど−Ｘ軸方向へ縮小されて移動される。
【０１１３】
また、移動後の第１領域ＳＢＸ１で左側から二番目に位置した画素に表示される映像は、移動前の映像より領域Ｒ２ほど−Ｘ軸方向へ縮小されて移動され、移動後の第１領域ＳＢｘ１で左側から三番目に位置した画素に表示される映像は、移動前の映像よりＲ２ほど−Ｘ軸方向へ縮小されて移動される。
【０１１４】
図７は、図５に示された拡大領域について説明するための概念図である。図５及び図７を参照すれば、移動量決定部２１４から生成された映像移動方向情報ＳＤＩ及び映像移動量情報ＳＡＩを利用し、Ｘ軸領域決定部２１６−１は、移動前の第２領域ＳＡｘ３よりも拡大された移動後の第２領域ＳＢｘ３を決定することができる。
【０１１５】
例えば、映像移動方向情報ＳＤＩが−Ｘ軸移動方向に設定され、移動映像移動量情報ＳＡＩがｎ個（ｎは陽の定数）の画素移動に設定された場合、Ｘ軸領域決定部２１６−１は、移動前の第２領域ＳＡｘ３よりも−Ｘ軸移動方向へｎ個の画素移動ほど拡大された移動後の第２領域ＳＢｘ３を設定することができる。
【０１１６】
以後、映像を拡大するために映像データ生成部２１８は、移動前の第２領域ＳＡｘ３のｊ個（ｊは陽の定数）の画素上で表示される映像を、移動後の第２領域ＳＢｘ３のｉ個（ｉはｊより大きい陽の定数）の画素上で表示される映像に変換することができる。すなわち、映像データ生成部２１８は、ｊ個の画素に提供されるべき映像データをｉ個の画素に提供されるべき映像データに変換することができる。
【０１１７】
ｊ個の画素上で表示されていた映像がｉ個の画素上で表示されるため、移動後の第２領域ＳＢｘ３で表示される映像は、移動前の第２領域ＳＡｘ３で表示される映像よりもｋ'の割合で拡大されて表示される（ここで、ｋ'＝ｉ／ｊ）。
【０１１８】
再度、図６を参照すれば、映像データ生成部２１８は、移動前の第２領域ＳＡｘ３を表示する映像データＰｄ１＿１ｂ、Ｐｄ１＿２ｂ、及びＰｄ１＿３ｂを再び組み合わせて、移動後の第２領域ＳＢｘ３を表示する映像データＰｄ２＿１ｂ、Ｐｄ２＿２ｂ、Ｐｄ２＿３ｂ、Ｐｄ２＿４ｂ、及びＰｄ２＿５ｂに変換することができる。
【０１１９】
以下、説明の便宜のために、三つの画素を含む移動前の第２領域ＳＡｘ３、及び前記三つの画素に入力されるべき映像データＰｄ１＿１ｂ、Ｐｄ１＿２ｂ、及びＰｄ１＿３ｂが存在し、前記三つの画素は、移動前の第２領域ＳＡｘ３で順次に配列されているものと仮定する。
【０１２０】
また、移動後の第２領域ＳＢｘ３は、五つの画素を含み、前記五つの画素は順次に配列されているものと仮定する。この際、映像データ生成部２１８は、前記三つの画素に入力されるべき映像データＰｄ１＿１ｂ、Ｐｄ１＿２ｂ、及びＰｄ１＿３ｂを利用し、前記五つの画素に入力されるべき映像データＰｄ２＿１ｂ、Ｐｄ２＿２ｂ、Ｐｄ２＿３ｂ、Ｐｄ２＿４ｂ、及びＰｄ２＿５ｂを生成することができる。
【０１２１】
例えば、映像データ生成部２１８は、移動前の第２領域ＳＡｘ３で左側から一番目に位置した画素Ｐｄ１＿１ｂを利用し、移動後の第２領域ＳＢｘ３で左側から一番目に位置した画素に入力されるべき映像データＰｄ２＿１ｂを生成することができる。
【０１２２】
すなわち、映像データ生成部２１８は、領域Ｒ１'に表示される映像データＰｄ１＿１ｂを利用して映像データＰｄ２＿１ｂを生成することができる。また、映像データ生成部２１８は、領域Ｒ２'に表示される映像データＰｄ１＿１ｂ及び領域Ｒ３'に表示される映像データＰｄ１＿２ｂを利用して映像データＰｄ２＿２ｂを生成することができる（ここで、Ｒ１'＝Ｒ２'＋Ｒ３'）。
【０１２３】
また、映像データ生成部２１８は、領域Ｒ４'に表示される映像データＰｄ１＿２ｂを利用して映像データＰｄ２＿３ｂを生成することができる（ここで、Ｒ１'＝Ｒ４'）。
【０１２４】
また、映像データ生成部２１８は、領域Ｒ５'に表示される映像データＰｄ１＿２ｂ及び領域Ｒ６'に表示される映像データＰｄ１＿３ｂを利用して映像データＰｄ２＿４ｂを生成することができる（ここで、Ｒ１'＝Ｒ５'＋Ｒ６'）。
【０１２５】
また、映像データ生成部２１８は、領域Ｒ７'に表示される映像データＰｄ１＿３ｂを利用して映像データＰｄ２＿５ｂを生成することができる（ここで、Ｒ１'＝Ｒ７'）。
【０１２６】
これにより、表示装置は、映像データ生成部２１８によって生成された映像データＰｄ２＿１ｂ、Ｐｄ２＿２ｂ、Ｐｄ２＿３ｂ、Ｐｄ２＿４ｂ、及びＰｄ２＿５ｂを利用して移動前の第２領域ＳＡｘ３で表示された映像よりも拡大された映像を、移動後の第２領域ＳＢｘ３で表示することができる。
【０１２７】
移動前の第２領域ＳＡｘ３で表示される映像は、５／３の割合で拡大されて移動後の第２領域ＳＢｘ３で表示される。したがって、移動後の第２領域ＳＢｘ３で左側から一番目に位置した画素に表示される映像は、移動前の映像よりも領域Ｒ２'ほど−Ｘ軸方向へ拡大されて移動される。
【０１２８】
また、移動後の第２領域ＳＢｘ３で左側から二番目に位置した画素に表示される映像は、移動前の映像よりも領域Ｒ２'ほど−Ｘ軸方向へ拡大されて移動され、移動後の第２領域ＳＢｘ３で左側から三番目に位置した画素に表示される映像は、移動前の映像よりもＲ２'ほど−Ｘ軸方向へ拡大されて移動される。
【０１２９】
また、移動後の第２領域ＳＢｘ３で左側から四番目に位置した画素に表示される映像は、移動前の映像よりも領域Ｒ２'ほど−Ｘ軸方向へ拡大されて移動され、移動後の第２領域ＳＢＸｘで左側から五番目に位置した画素に表示される映像は、移動前の映像よりＲ２'ほど−Ｘ軸方向へ拡大されて移動される。
【０１３０】
図８Ａ及び図８Ｂは、本発明の他の実施例による表示装置の映像表示方法について説明するための概念図である。
【０１３１】
図８Ａ及び図８Ｂは、映像がＹ軸方向に沿って移動する様子を示したもので、上述した図４Ａ及び図４Ｂに係わる実施例と重複される内容は省略する。
【０１３２】
図８Ａを参照すれば、映像Ｉｍ２は複数の領域を含むことができる。例えば、映像Ｉｍ２は、第１領域Ａ１、第２領域Ａ２及び第３領域Ａ３を含むことができる。
【０１３３】
第３領域Ａ３は、第１領域Ａ１と第２領域Ａ２との間に位置する領域でありえる。
【０１３４】
また、第１領域Ａ１は、第３領域Ａ３の上側に位置した領域で、第２領域Ａ２は、第３領域Ａ３の下側に位置する領域でありえる。
【０１３５】
本発明の実施例による表示装置の映像表示方法では、映像Ｉｍ２が移動されて表示されることができ、また映像Ｉｍ２に含まれた一部の領域が縮小及び拡大されることができる。
【０１３６】
例えば、第ｎ期間の間、映像Ｉｍ２は映像表示領域ＤＡの特定位置に表示され、第ｎ＋ｍ期間（ｍは１以上の自然数）の間映像Ｉｍ２は、特定方向（例えば、Ｙ軸方向）に移動された状態に表示されることができる。すなわち、映像Ｉｍ２は、−Ｙ軸方向（下側）または＋Ｙ軸方向（上側）に特定距離ほど移動されることができる。
【０１３７】
図８Ｂを参照すれば、表示装置は、第ｎ＋ｍ期間の間、映像表示領域ＤＡに映像Ｉｍ２'を表示することができる。
【０１３８】
映像補正部２１０は、第１領域Ａ１をＹ軸縮小領域に設定し、第２領域Ａ２をＹ軸拡大領域に設定することができる。ここで、映像Ｉｍ２'は、ピクセルシフト動作によって映像Ｉｍ２が移動されて表示されたものである。
【０１３９】
映像移動によって第１領域Ａ１の面積は、第３面積Ｅｘ３ほど縮小されることができ、第２領域Ａ２の面積は、第４面積Ｅｘ４ほど拡大されることができる。
【０１４０】
例えば、第ｎ期間の間、映像Ｉｍ２の第１領域Ａ１及び第２領域Ａ２は、決定された面積を維持し、第ｎ＋ｍ期間の間、映像Ｉｍ２'の第１領域Ａ１は第３面積Ｅｘ３ほど縮小され、第２領域Ａ２は第４面積Ｅｘ４ほど拡大されることができる。この際、第２領域Ａ２は、第１領域Ａ１が縮小されるほど拡大されることができる。例えば、第３面積Ｅｘ３は、第４面積Ｅｘ４と同一でありえる。
【０１４１】
これにより、表示装置は、全体の大きさを維持した状態で映像Ｉｍ２'を移動させることができる。言い換えれば、本発明の実施例によって表示される映像Ｉｍ２'の大きさは移動前の映像Ｉｍ２の大きさと同一に維持されることができる。
【０１４２】
映像Ｉｍ２は、第１領域Ａ１が縮小される方向に沿って移動することができる。
【０１４３】
映像補正部２１０は、第３領域Ａ３をＹ軸移動領域に設定することができる。したがって、第１領域Ａ１と第２領域Ａ２との間に位置する第３領域Ａ３は、第１領域Ａ１が縮小される方向に沿って移動することができる。この際、第３領域Ａ３は、縮小される、または拡大されることなく、その大きさをそのまま維持することができる。
【０１４４】
図８Ａ及び図８Ｂでは、映像（Ｉｍ２及びIm２'）の上側に位置した領域を第１領域Ａ１と指称し、映像（Ｉｍ２及びIm２'）の下側に位置した領域を第２領域Ａ２と指称したが、第１領域Ａ１及び第２領域Ａ２は、互いに逆になることも可能である。
【０１４５】
例えば、映像（Ｉｍ２及びIm２'）の上側に位置した領域が第１領域Ａ１に設定され、映像（Ｉｍ２及びIm２'）の下側に位置した領域が第２領域Ａ２に設定されることができる。
【０１４６】
上述したように、映像Ｉｍ２を移動させることで、残像の発生を抑制することができるだけではなく、それと同時に映像Ｉｍ２の内部領域（Ａ１及びＡ２）に対する縮小及び拡大を並行することで、残像の発生をより效率的に抑制することができる。
【０１４７】
図９は、本発明の実施例による映像補正部のＹ軸方向の映像データを生成する方法について説明するための概念図である。
【０１４８】
図９では、説明の便宜のために格子形態に配置された画素の中で、一列の画素に入力されるＹ軸映像データを示しており、映像データ（Ｐｄ３またはＰｄ４）は画素に映像を表示するデータを意味する。また、第１映像データＤＩ１は、映像データＰｄ３を含み、第２映像データＤＩ２は映像データＰｄ４を含むことに仮定する。
【０１４９】
Ｙ軸領域決定部２１６−２は、Ｙ軸方向に沿って映像をサブ領域ＳＡｙ１、ＳＡｙ２、及びＳＡｙ３で区分することができる。ここで、移動前のＹ軸領域ＹＡ１は、映像が移動する前のサブ領域ＳＡｙ１、ＳＡｙ２、及びＳＡｙ３を含むことができる。
【０１５０】
また、移動後のＹ軸領域ＹＡ２は、映像が移動した後サブ領域ＳＢｙ１、ＳＢｙ２、及びＳＢｙ３を含むことができる。
【０１５１】
例えば、Ｙ軸領域決定部２１６−２は、最も上側に位置した画素から下側方向へ５番目に位置した画素上に表示される映像を、移動前の第１領域ＳＡｙ１に決定し、最も下側に位置した画素から上側方向へ三番目に位置した画素上に表示される映像を第２領域ＳＡｙ３に決定し、移動前の第１領域ＳＡｙ１と移動前の第２領域ＳＡｙ３との間に位置した移動前の第３領域ＳＡｙ２を決定することができる。
【０１５２】
映像データ生成部２１８は、サブ領域ＳＡｙ１、ＳＡｙ２、及びＳＡｙ３を表示する映像データＰｄ３がサブ区域ＳＢｙ１、ＳＢｙ２、及びＳＢｙ３を表示することができるように映像データＰｄ４を生成することができる。すなわち、映像データ生成部２１８は、移動前の第１領域ＳＡｙ１を表示する映像データＰｄ３を、移動後の第１領域ＳＢｙ１を表示する映像データＰｄ４に変換することができる。
【０１５３】
また、映像データ生成部２１８は、移動前の第２領域ＳＡｙ３を表示する映像データＰｄ３を、移動後の第２領域ＳＢｙ３を表示する映像データＰｄ４に変換することができる。
【０１５４】
また、映像データ生成部２１８は、移動前の第３領域ＳＡｙ２を表示する映像データＰｄ３を移動後の第３領域ＳＢｙ２を表示する映像データＰｄ４に変換することができる。
【０１５５】
図１０は、図９に示された縮小領域について説明するための概念図である。図９及び図１０を参照すれば、移動量決定部２１４から生成された映像移動方向情報ＳＤＩ及び映像移動量情報ＳＡＩを利用し、Ｙ軸領域決定部２１６−２は、移動前の第１領域ＳＡｙ１よりも縮小された移動後の第１領域ＳＢｙ１を決定することができる。
【０１５６】
例えば、映像移動方向情報ＳＤＩが−Ｙ軸移動方向に設定され、移動映像移動量情報ＳＡＩがｎ個（ｎは陽の定数）の画素移動に設定された場合、Ｙ軸領域決定部２１６−２は、移動前の第１領域ＳＡｙ１よりも−Ｙ軸移動方向へｎ個の画素移動ほど縮小された移動後の第１領域ＳＢｙ１を設定することができる。
【０１５７】
以後、映像を縮小するために映像データ生成部２１８は、移動前の第１領域ＳＡｙ１のｐ個（ｐは陽の定数）の画素上で表示される映像を、移動後の第１領域ＳＢｙ１のｑ個（ｑはｐより小さい陽の定数）の画素上で表示される映像に変換することができる。すなわち、映像データ生成部２１８は、ｐ個の画素に提供されるべき映像データをｑ個の画素に提供されるべき映像データに変換することができる。
【０１５８】
ｐ個の画素上で表示された映像がｑ個の画素上で表示されるため、移動後の第１領域ＳＢｙ１で表示される映像は、移動前の第１領域ＳＡｙ１で表示される映像よりもｋの割合で縮小されて表示される（ここで、ｋ＝ｑ／ｐ）。
【０１５９】
再度、図１０を参照すれば、映像データ生成部２１８は、移動前の第１領域ＳＡｙ１を表示する映像データＰｄ３＿１ａ、Ｐｄ３＿２ａ、Ｐｄ３＿３ａ、Ｐｄ３＿４ａ、及びＰｄ３＿５ａを再び組み合わせて、移動後の第１領域ＳＢｙ１を表示する映像データＰｄ４＿１ａ、Ｐｄ４＿２ａ、及びＰｄ４＿３ａに変換することができる。
【０１６０】
説明の便宜のために、五つの画素を含む移動前の第１領域ＳＡｙ１、及び前記五つの画素に入力されるべき映像データＰｄ３＿１ａ、Ｐｄ３＿２ａ、Ｐｄ３＿３ａ、Ｐｄ３＿４ａ、及びＰｄ３＿５ａが存在し、前記五つの画素は移動前の第１領域ＳＡｙ１で順次に配列されているものと仮定する。
【０１６１】
また、移動後の第１領域ＳＢｙ１は三つの画素を含み、前記三つの画素は順次に配列されているものと仮定する。この際、映像データ生成部２１８は、前記五つの画素に入力されるべき映像データＰｄ３＿１ａ、Ｐｄ３＿２ａ、Ｐｄ３＿３ａ、Ｐｄ３＿４ａ、及びＰｄ３＿５ａを利用し、前記三つの画素に入力されるべき映像データＰｄ４＿１ａ、Ｐｄ４＿２ａ、及びＰｄ４＿３ａを生成することができる。
【０１６２】
例えば、映像データ生成部２１８は、移動前の第１領域ＳＡｙ１で左側から一番目に位置した画素と二番目に位置した画素に入力されるべき映像データ（Ｐｄ３＿１ａ及びＰｄ３＿２ａ）を利用し、移動後の第１領域ＳＢｙ１で左側から一番目に位置した画素に入力されるべき映像データＰｄ４＿１ａを生成することができる。
【０１６３】
すなわち、映像データ生成部２１８は、領域Ｓ１に表示される映像データＰｄ３＿１ａ及び領域Ｓ２に表示される映像データＰｄ３＿２ａを利用して映像データＰｄ４＿１ａを生成することができる。
【０１６４】
また、映像データ生成部２１８は、領域Ｓ３に表示される映像データＰｄ３＿２ａ、領域Ｓ４に表示される映像データＰｄ３＿３ａ、及び領域Ｓ５に表示される映像データＰｄ３＿４ａを利用して映像データＰｄ４＿２ａを生成することができる（ここで、Ｓ２＝Ｓ３＋Ｓ５）。
【０１６５】
また、映像データ生成部２１８は、領域Ｓ６に表示される映像データＰｄ３＿４ａ及び領域Ｓ７に表示される映像データＰｄ３＿５ａを利用して映像データＰｄ４＿３ａを生成することができる（ここで、Ｓ２＝Ｓ６）。
【０１６６】
これにより、表示装置は、映像データ生成部２１８によって生成された映像データ（Ｐｄ４＿１ａ、Ｐｄ４＿２ａ、及びＰｄ４＿３ａ）を利用し、移動前の第１領域ＳＡｙ１で表示された映像よりも縮小された映像を移動後の第１領域ＳＢｙ１で表示することができる。
【０１６７】
移動前の第１領域ＳＡｙ１で表示される映像は３/５の割合で縮小されて移動後の第１領域ＳＢｙ１で表示される。したがって、移動後の第１領域ＳＢｙ１で上側から一番目に位置した画素に表示される映像は、移動前の映像よりも領域Ｓ２ほど＋Ｙ軸方向へ縮小されて移動される。
【０１６８】
また、移動後の第１領域ＳＢｙ１で上側から二番目に位置した画素に表示される映像は、移動前の映像よりも領域Ｓ２ほど＋Ｙ軸方向へ縮小されて移動され、移動後の第１領域ＳＢｙ１で上側から三番目に位置した画素に表示される映像は、移動前の映像よりもＳ２ほど＋Ｙ軸方向へ縮小されて移動される。
【０１６９】
図１１は、図９に示された拡大領域について説明するための概念図である。図１１及び図９を参照すれば、移動量決定部２１４から生成された映像移動方向情報ＳＤＩ及び映像移動量情報ＳＡＩを利用し、Ｙ軸領域決定部２１６−２は、移動前の第２領域ＳＡｙ３より拡大された移動後の第２領域ＳＢｙ３を決定することができる。
【０１７０】
例えば、映像移動方向情報ＳＤＩが＋Ｙ軸移動方向に設定され、移動映像移動量情報ＳＡＩがｎ個（ｎは陽の定数）の画素移動に設定された場合、Ｙ軸領域決定部２１６−２は、移動前の第２領域ＳＡｙ３よりも＋Ｙ軸移動方向へｎ個の画素移動ほど拡大された移動後の第２領域ＳＢｙ３を設定することができる。
【０１７１】
以後、映像を拡大するために映像データ生成部２１８は、移動前の第２領域ＳＡｙ３のｊ個（ｊは陽の定数）の画素上で表示される映像を、移動後の第２領域ＳＢｙ３のｉ個（ｉはｊより大きい陽の定数）の画素上で表示される映像に変換することができる。すなわち、映像データ生成部２１８は、ｊ個の画素に提供されるべき映像データをｉ個の画素に提供されるべき映像データに変換することができる。
【０１７２】
ｊ個の画素上で表示された映像がｉ個の画素上で表示されるため、移動後の第２領域ＳＢｙ３で表示される映像は、移動前の第２領域ＳＡｙ３で表示される映像よりｋ'の割合で拡大されて表示される（ここで、ｋ'＝ｉ／ｊ）。
【０１７３】
再度、図１１を参照すれば、映像データ生成部２１８は、移動前の第２領域ＳＡｙ３を表示する映像データ（Ｐｄ３＿１ｂ、Ｐｄ３＿２ｂ、及びＰｄ３＿３ｂ）を再び組み合わせて、移動後の第２領域ＳＢｙ３を表示する映像データ（Ｐｄ４＿１ｂ、Ｐｄ４＿２ｂ、Ｐｄ４＿３ｂ、Ｐｄ４＿４ｂ、及びＰｄ４＿５ｂ）に変換することができる。
【０１７４】
説明の便宜のために、三つの画素を含む移動前の第２領域ＳＡｙ３、及び前記三つの画素に入力されるべき映像データ（Ｐｄ３＿１ｂ、Ｐｄ３＿２ｂ、及びＰｄ３＿３ｂ）が存在し、前記三つの画素は、移動前の第２領域ＳＡｙ３で順次に配列されているものと仮定する。
【０１７５】
また、移動後の第２領域ＳＢｙ３は、五つの画素を含み、前記五つの画素は順次に配列されているものと仮定する。この際、映像データ生成部２１８は、前記三つの画素に入力されるべき映像データ（Ｐｄ３＿１ｂ、Ｐｄ３＿２ｂ、及びＰｄ３＿３ｂ）を利用し、前記五つの画素に入力されるべき映像データ（Ｐｄ４＿１ｂ、Ｐｄ４＿２ｂ、Ｐｄ４＿３ｂ、Ｐｄ４＿４ｂ、及びＰｄ４＿５ｂ）を生成することができる。
【０１７６】
例えば、映像データ生成部２１８は、移動前の第２領域ＳＡｙ３で上側から一番目に位置した画素Ｐｄ３＿１ｂを利用し、移動後の第２領域ＳＢｙ３で上側から一番目に位置した画素に入力されるべき映像データＰｄ４＿１ｂを生成することができる。
【０１７７】
すなわち、映像データ生成部２１８は、領域Ｓ１'に表示される映像データＰｄ３＿１ｂを利用して映像データＰｄ４＿１ｂを生成することができる。
【０１７８】
また、映像データ生成部２１８は、領域Ｓ２'に表示される映像データＰｄ３＿１ｂ、及び領域Ｓ３'に表示される映像データＰｄ３＿２ｂを利用して映像データＰｄ４＿２ｂを生成することができる（ここで、Ｓ１'＝Ｓ２'＋Ｓ３'）。
【０１７９】
また、映像データ生成部２１８は、領域Ｓ４'に表示される映像データＰｄ３＿２ｂを利用して映像データＰｄ４＿３ｂを生成することができる（ここで、Ｓ１'＝Ｓ４'）。
【０１８０】
また、映像データ生成部２１８は、領域Ｓ５'に表示される映像データＰｄ３＿２ｂ、及び領域Ｓ６'に表示される映像データＰｄ３＿３ｂを利用して映像データＰｄ４＿４ｂを生成することができる（ここで、Ｓ１'＝Ｓ５'＋Ｓ６'）。
【０１８１】
また、映像データ生成部２１８は、領域Ｓ７'に表示される映像データＰｄ３＿３ｂを利用して映像データＰｄ４＿５ｂを生成することができる（ここで、Ｓ１'＝Ｓ７'）。
【０１８２】
これにより、表示装置は、映像データ生成部２１８によって生成された映像データ（Ｐｄ４＿１ｂ、Ｐｄ４＿２ｂ、Ｐｄ４＿３ｂ、Ｐｄ４＿４ｂ、及びＰｄ４＿５ｂ）を利用して移動前の第２領域ＳＡｙ３で表示された映像よりも拡大された映像を、移動後の第２領域ＳＢｙ３で表示することができる。
【０１８３】
移動前の第２領域ＳＡｙ３で表示される映像は、５/３の割合で拡大されて移動後の第２領域ＳＢｙ３で表示される。したがって、移動後の第２領域ＳＢｙ３で上側から一番目に位置した画素に表示される映像は、移動前の映像よりも領域Ｓ２'ほど＋Ｙ軸方向へ拡大されて移動される。
【０１８４】
また、移動後の第２領域ＳＢｙ３で上側から二番目に位置した画素に表示される映像は、移動前の映像よりも領域Ｓ２'ほど＋Ｙ軸方向へ拡大されて移動され、移動後の第２領域ＳＢｙ３で上側から三番目に位置した画素に表示される映像は、移動前の映像よりＳ２'ほど＋Ｙ軸方向へ拡大されて移動される。
【０１８５】
また、移動後の第２領域ＳＢｙ３で上側から四番目に位置した画素に表示される映像は、移動前の映像よりも領域Ｓ２'ほど＋Ｙ軸方向へ拡大されて移動され、移動後の第２領域ＳＢｙ３で上側から五番目に位置した画素に表示される映像は、移動前の映像よりもＳ２'ほど＋Ｙ軸方向へ拡大されて移動される。
【０１８６】
図１２は、本発明の実施例によるルックアップテーブルで、図１３は、図１２に示されたルックアップテーブルによって表示装置が映像を移動する方法を示す。図１２を参照すれば、移動量決定部２１４は、Ｘ軸移動方向ＳＤｘ及びＸ軸移動量ＳＱｘを決定することができる。
【０１８７】
また、移動量決定部２１４は、Ｙ軸移動方向ＳＤｙ及びＹ軸移動量ＳＱｙもともに決定することができる。
【０１８８】
例えば、移動量決定部２１４は、フレームデータカウンター２１２から伝達されるフレーム情報ＣＩを利用し、フレーム情報ＣＩに対応するＸ軸及びＹ軸移動方向（ＳＤｘ及びＳＤｙ）、及びＸ軸及びＹ軸移動量（ＳＱｘ及びＳＱｙ）を決定することができる。
【０１８９】
図１３を参照すれば、表示装置は、Ｘ軸及びＹ軸移動方向（ＳＤｘ及びＳＤｙ）、及びＸ軸及びＹ軸移動量（ＳＱｘ及びＳＱｙ）に沿って映像を移動することができる。
【０１９０】
例えば、フレーム情報ＣＩを利用して第１映像データが十番目に入力されたフレームデータに判断されると、表示装置は、ルックアップテーブルに保存されたＸ軸移動方向ＳＤｘ及びＸ軸移動量ＳＱｘに沿って−Ｘ軸方向へ「−１」ほど映像を移動する。
【０１９１】
例えば、フレーム情報ＣＩを利用して第１映像データが二十番目に入力されたフレームデータに判断されると、表示装置は、ルックアップテーブルに保存されたＸ軸移動方向ＳＤｘ及びＸ軸移動量ＳＱｘに沿って−Ｘ軸方向へ「−１」ほど映像を移動し、Ｙ軸移動方向ＳＤｙ及びＹ軸移動量ＳＱｙに沿って＋Ｙ軸方向へ「＋１」ほど映像を移動する。
【０１９２】
図１３では、Ｘ軸移動方向ＳＤｘが陽の方向（右側）の場合を（＋）で表示し、Ｘ軸移動方向ＳＤｘが陰の方向（左側）の場合を（−）で表示した。
【０１９３】
また、Ｙ軸移動方向ＳＤｙが陽の方向（上側）の場合を（＋）で表示し、Ｙ軸移動方向ＳＤｙが陰の方向（下側）の場合を−で表示した。ただし、これは、一実施例に過ぎず、移動方向ＳＤｘ、ＳＤｙに対する表現方式は、多様に変更されることができる。
【０１９４】
以上、本発明の実施例について説明してきたが、本発明はこれに限定されずに種々の変更、改良を行うことができる。
【符号の説明】
【０１９５】
１００    プロセッサ
２００    表示駆動部
２１０    映像補正部
２２０    タイミング制御部
２３０    データ駆動部
２４０    走査駆動部
３００    表示パネル
【図１】
2016212419.tif 000003
【図２】
2016212419.tif 000004
【図３】
2016212419.tif 000005
【図４Ａ】
2016212419.tif 000006
【図４Ｂ】
2016212419.tif 000007
【図５】
2016212419.tif 000008
【図６】
2016212419.tif 000009
【図７】
2016212419.tif 000010
【図８Ａ】
2016212419.tif 000011
【図８Ｂ】
2016212419.tif 000012
【図９】
2016212419.tif 000013
【図１０】
2016212419.tif 000014
【図１１】
2016212419.tif 000015
【図１２】
2016212419.tif 000016
【図１３】
2016212419.tif 000017